(57)【特許請求の範囲】
【請求項１】
天井に吊部材で吊持されるフレーム部材と、フレーム部材に設置される天井パネルと、壁面に固定されるとともにフレーム部材とスライド可能に連結される連結補助具とからなり、前記フレ−ム部材は端部に開口された長さ方向に延びる上下複数の中空部を有し、前記連結補助具は水平に突出した上下複数のガイド部を有し、前記ガイド部は前記中空部の夫々にスライド可能に嵌合される天井構造。
【請求項２】
請求項１に記載の天井構造において、一つのガイド部がフレーム部材の長さ方向と直交する方向の動きを規制し、他のガイド部が垂直方向の動きを規制するようにフレーム部材に嵌合されることを特徴とする天井構造。
【請求項３】
請求項１または２に記載の天井構造において、垂直方向の動きを規制するガイド部は逆Ｕ字形に折曲げ形成されることを特徴とする天井構造。
【請求項４】
請求項１〜３のいずれかに記載の天井構造において、フレーム部材は連結補助具のガイド部の基端部に嵌合する上端部を斜めに切り欠かれていることを特徴とする天井構造。
【請求項５】
請求項１〜４のいずれかに記載の天井構造において、連結補助具は板材を折り曲げて形成されるものであることを特徴とする天井構造。
【請求項６】
請求項５に記載の天井構造において、連結補助具は板材の折り曲げ部に補強を施したものであることを特徴とする天井構造。
【発明の詳細な説明】
【０００１】
【発明の属する技術分野】
本発明は、吊タイプの天井構造に係る技術分野に属する。
【０００２】
【従来の技術】
一般に、吊タイプの天井構造は、図１０に示すように、天井パネルＰが取付けられるフレーム部材１が天井スラブ（天井スラブ）Ｃに固定された吊部材２に吊持され、フレーム部材１の端部が壁Ｗに固定された廻縁部材３に連結されてなる。フレーム部材１と廻縁部材３の結合については、ボルト締等の固定構造が採用されている。
【０００３】
この天井構造では、地震等の振動が作用した場合に、フレーム部材１に天井スラブＣ及び壁Ｗからの力が集中して捻れや撓み等の変形を生ずることがある。このため、フレーム部材１と廻縁部材３の連結については、非固定構造を採用して、フレーム部材１へ振動による応力の集中を避けることが望まれている。
【０００４】
従来、フレーム部材と廻縁部材の連結に非固定構造を採用した天井構造としては、例えば、特開平８−２７９４５号公報に記載の回縁用スペーサを使用したものがある。
【０００５】
この従来の天井構造における回縁用スペーサは、Ｔバー（フレーム部材）の端部を壁に固定された廻縁で保持するのに補助的に使用するものである。回縁用スペーサは、ボード支持部と横移動防止爪を備えて廻縁の内部に移動可能に取り付けられ、このボード支持部と横移動防止爪でＴバー（フレーム部材）を支持するものである。
【０００６】
【発明が解決しようとする課題】
前述の従来の天井構造では、回縁用スペーサのボード支持部は下方からＴバー（フレーム部材）を支えているだけなので、地震でＴバー（フレーム部材）が長手方向に大きく移動する動きに対しては、Ｔバー（フレーム部材）がボード支持部から外れて、Ｔバー（フレーム部材）が脱落する危険性があるという問題ある。
【０００７】
また、回縁用スペーサのボード支持部と横移動防止爪が回縁に移動可能に取り付けられたもので、地震の振動の力を上下左右に支える構造ではないため、地震で回縁から天井パネルが外れると天井からだけの吊部材に頼らなければ天井の落下防止ができないという問題がある。その結果、吊部材を強度の高いものにする必要があるので、コストアップになるという問題がある。
【０００８】
本発明は、このような問題点を考慮してなされたもので、地震などの振動で天井パネルを設置するフレーム部材が壁面から大きく離脱しても、天井の落下を防止することができる安価な天井構造を提供することを課題とする。
【０００９】
【課題を解決するための手段】
前述の課題を解決するため、本発明に係る天井構造は、次のような手段を採用する。
【００１０】
即ち、請求項１では、天井に吊部材で吊持されるフレーム部材と、フレーム部材に設置される天井パネルと、壁面に固定されるとともにフレーム部材とスライド可能に連結される連結補助具とからなり、前記フレ−ム部材は端部に開口された長さ方向に延びる上下複数の中空部を有し、前記連結補助具は水平に突出した上下複数のガイド部を有し、前記ガイド部は前記中空部の夫々にスライド可能に嵌合される。
【００１１】
この手段では、連結補助具の上下にある複数のガイド部がフレーム部材の上下にある複数の中空部に夫々嵌合してスライド可能に連結され、フレーム部材が壁面から離れてもフレーム部材を上下複数箇所から支持可能とする。
【００１２】
また、請求項２では、請求項１に記載の天井構造において、一つのガイド部がフレーム部材の長さ方向と直交する方向の動きを規制し、他のガイド部が垂直方向の動きを規制するようにフレーム部材に嵌合されることを特徴とする。
【００１３】
この手段では、連結補助具の一つのガイド部がフレ−ム部材の長さ方向と直交する方向の動きを規制し、連結補助具の他のガイド部が垂直方向の動きを規制するように構成される。
【００１４】
また、請求項３では、請求項１または２に記載の天井構造において、垂直方向の動きを規制するガイド部は逆Ｕ字形に折曲げ形成されることを特徴とする。
【００１５】
この手段では、連結補助具はフレーム部材の垂直方向の動きを規制するように構成される。
【００１６】
さらに、請求項４では、請求項１〜３のいずれかに記載の天井構造において、フレーム部材は連結補助具のガイド部の基端部に嵌合する上端部を斜めに切り欠かれていることを特徴とする。
【００１７】
この手段では、連結補助具に嵌合するフレーム部材が干渉を避けるように切り欠かれる。
【００１８】
また、請求項５では、請求項１〜４のいずれかに記載の天井構造において、連結補助具は板材を折り曲げて形成されるものであることを特徴とする。
【００１９】
この手段では、連結補助具が安価に構成されるとともに、適度に変形が可能な構造とする。
【００２０】
また、請求項６では、請求項５に記載の天井構造において、連結補助具は板材の折り曲げ部に補強を施したものであることを特徴とする。
【００２１】
この手段では、連結補助具が薄板で形成される。
【００２２】
【発明の実施の形態】
以下、本発明に係る天井構造の実施の形態を図１〜図９に基づいて説明する。
【００２３】
図１〜図４は、本発明に係る天井構造の実施の形態（１）を示すものである。
【００２４】
この実施の形態における天井構造１００は、前述の従来例と同様に、吊部材２と、フレーム部材１と、フレーム部材１設置された天井パネルＰと、廻縁部材３と、廻縁部材３とフレーム部材１との間に連結補助具４とを設けた構成としている。
【００２５】
フレーム部材１は、一枚の板材から断面がほぼＴ字形に折曲げ形成された長尺材からなるもので、上部に吊部材２が取付けられる縦長筒形の吊部材取付部１１が設けられ、下部に天井パネルＰが嵌込み設置される吊部材取付部１１よりの少し大きな横長筒形の天井パネル取付部１２が設けられている。また、吊部材取付部１１、天井パネル取付部１２の間に板材が接合された垂直な平坦部１３が設けられている。
【００２６】
吊部材取付部１１の内部は、フレーム部材１の長さ方向に延びるとともにフレーム部材１の端部に開口された中空部１４となっている。天井パネル取付部１２の内部は、フレーム部材１の長さ方向に延びるとともにフレーム部材１の端部と下面の一部とに開口された中空部１５となっている。平坦部１３には、天井パネル取付部１２の開口部が力を受けて開かないように複数のカシメ加工１７が施されている。
【００２７】
吊部材２は、天井スラブＣから吊持されたボルト部２１と、ボルト部２１の下端部に取付けられた端末部２２とからなる。ボルト部２１は、天井スラブＣに打込まれたアンカーピン等に吊され、ナットなどを用いて端末部２２の高さが調節できるような構造（図示しない）となっている。端末部２２はコ字形に形成されて、フレーム部材１の吊部材取付部１１に取り付けられる。
【００２８】
廻縁部材３は、金属材または合成樹脂材等の垂直片３１、水平片３２がＬ字形に形成されてなる。垂直片３１は、壁面Ｗに当接されて取付ボルト等で固定される。水平片３２は、壁面Ｗから水平に突出してフレーム部材１の天井パネル取付部１２の下面を支持する。
【００２９】
連結補助具４は、壁面Ｗに固定された廻縁部材３の垂直片３１に当接されて固定される基板４１と、フレーム部材１にスライド可能に嵌合されるガイド部であり、基板４１と９０°をなす方向の上下に比較的長く突出したガイド片４２、４３と、両ガイド片４２、４３と基板４１との間に設けられた立ち上がり部４４とを備えている。基板４１は、廻縁部材３の垂直片３１に固定するためのビス５が挿通されるビス孔４５が開孔されている。
【００３０】
上側のガイド片４２は、図２に示すように、フレーム部材１の吊部材取付部１１の中空部１４に嵌合して挿通される縦長の逆Ｕ字形（開放側を下側にした）に折曲げ形成されている。したがって、フレーム部材１の垂直方向の動きを規制するものである。一方、下側のガイド片４３は、図２に示すように、フレーム部材１の天井パネル取付部１２の中空部１５に、その断面の上部分にのみ当接して嵌合される水平の板形に形成されている。したがって、フレーム部材１の長さ方向と直交する方向に対してフレーム部材１の動きを規制するものである。なお、立ち上がり部４４は、両ガイド片４２、４３を基板４１寄りの端部で一つにして、基板４１に連続している。
【００３１】
この連結補助具４については、図４に示すような打抜き加工された一枚の板材料から、図示の点線に沿って折曲げ加工することにより容易に製造することができる。なお、板材料の折曲げが狭い範囲に集中する基板４１と下側のガイド片４３と立ち上がり部４４との間には、折曲げをしやすくするために、Ｕ字形の切込４６が設けられている。また、板材料の基板４１と立ち上がり部４４との間の折曲げ部分には、折曲げ状態を保持、補強するために凸側から凹側に叩き出すことによる補強４７が施されている。
【００３２】
この実施の形態の天井構造１００によると、図１、図２に示すように、壁Ｗに固定された廻縁部材３にビス５で連結補助具４の基板４１を固定し、壁Ｗから水平に突出した連結補助具４の両ガイド片４２、４３をフレーム部材１の中空部１４、１５に挿通することで、フレーム部材１、廻縁部材３（連結補助具４）がスライド可能に連結される。なお、工事手順としては、連結補助具４の両ガイド片４２、４３をフレーム部材１の中空部１４、１５に挿通してから、廻縁部材３に連結補助具４の基板４１を固定することが可能である。
【００３３】
フレーム部材１と廻縁部材３が連結補助具４を介して連結されると、廻縁部材３の壁面Ｗから水平に突出している水平片３２は、連結補助具４と一緒にフレーム部材１を下から支える。また、連結補助具４の上側のガイド片４２は、開放側を下側にしたＵ字形の補強構造としているのでフレーム部材１の荷重に充分に耐えることができる。
【００３４】
この実施の形態の天井構造１００に地震等の振動が加わった場合、図１に示すように、フレーム部材１は連結補助具４のガイド片４２、４３に支持されて、取付位置Ａ１に対し図の右方向にスライドすることができる。ここでかなり大きな地震が発生した場合、フレーム部材１は位置Ａ２まで動くこともあり得る。その場合、従来例の構造ではフレーム部材１が廻縁部材３から外れてしまい、他の場所の連結補助具４の状況によっては、天井パネルＰが落下する可能性がある。
【００３５】
しかし、連結補助具４はそのガイド片４２、４３の連結長さを十分に確保してあるため、Ａ２やＡ３の位置までフレーム部材１が動いても連結補助具４のガイド片４２、４３からフレーム部材１が離脱することはない。なお、過去に日本国内で発生した大地震のデータを再現実験して調べると、変位量は最大なものでも４ｃｍ程度（Ａ３の位置以下）であり、安全率を見込んでその２倍程度の長さを与えれば十分と考えられる。ちなみに従来の回縁３だけの支持では、２ｃｍ動くと回縁から外れてしまう。
【００３６】
また、この実施の形態では、スライド構造が上下に２組構成され、フレーム部材の長さ方向と直交する方向の動きを規制するとともに垂直方向の動きを規制するようにフレーム部材に嵌合されているので、吊部材２のばたつきを押さえることができ、また、捻れに対する剛性が高くなる。したがって、縦揺れ、横揺れ等の複雑な振動形態からなる地震に有効に対応することができる。なお、固定式の天井と異なり、フレーム部材１の中空部１４、１５と連結補助具４のガイド片４２、４３とでスライドする構造のために、フレーム部材１に天井スラブＣ、壁Ｗからの振動の応力が集中して、フレーム部材１が捻れ、撓み等の変形を生ずるようなことはない。
【００３７】
また、連結補助具４のガイド片４２、４３がフレーム部材１の中空部１４、１５の吊部材取付部１１、天井パネル取付部１２にそれぞれ平面で当接し、スライド構造が広い面積で案内されているため、スライド構造がガタつくことなく円滑に動作する。また、連結補助具４のガイド片４２がＵ字形で周囲がフレーム部材１の吊部材取付部１１で囲まれているため、スライド構造のスライド軋音等の共鳴がフレーム部材１の吊部材取付部１１の内部で減衰され、スライド騒音の発生が防止される。
【００３８】
図５は、本発明に係る天井構造の実施の形態（２）を示すものである。
【００３９】
この実施の形態では、前述の実施の形態（１）の連結補助具４に嵌合するフレーム部材１の上端部を吊部材取付部１１から天井パネル取付部１２にかけて斜めに切り欠いてある。この切り欠き５０は連結補助具のガイド部の基端部（連結補助具４のガイド片４２の付け根部４８が強度を確保するために丸みを設けている）との干渉を避けるように切り欠かれたものである。
【００４０】
すなわち、この実施の形態によると、フレーム部材１の上端部を斜めに切断していることで、連結補助具４のガイド片４３の付け根の部分４９までフレーム部材１が挿入可能となっている。（この斜め切断を行わない場合は、図５の２点差線で示すような位置までフレーム部材１を挿入可能）したがって、この実施の形態によれば、フレーム部材１の廻縁部材３による支持長さを大きくすることができる。
【００４１】
なお、フレーム部材１の上端部を斜めに切断する方法は図５に示す形態に限ったことではなく、ガイド片４２の付け根部４８の丸みを避けるように形成するものであれば構わない。例えばフレーム部材１の上端部の角部のみを面取りするように形成してもよい。
【００４２】
図６〜図９は、本発明に係る天井構造の実施の形態（３）を示すものである。
【００４３】
この実施の形態では、前述の実施の形態（１）の連結補助具４の下側のガイド片４３に代えて当接片４８を設けてある。当接片４８は、フレーム部材１の平坦部１３の外側面に当接する垂直の板形に形成されている。
【００４４】
この実施の形態の連結補助具４については、図９に示すような打抜き加工された一枚の板材料から、図示の点線に沿って折曲げ加工することにより容易に製造することができる。
【００４５】
この実施の形態によると、前述の実施の形態（１）と同様に、大きな地震に対してもフレーム部材１の離脱を防ぐことができるとともに、当接片４８により垂直方向の動きの規制をする性能が高くなる。ただし、フレーム部材の長さ方向と直交する方向の動きを規制が一方向なので、実施の形態（１）に比べ、捻れに対する対応性能はわずかに低下する。
【００４６】
なお、上記の実施の形態では、廻縁部材３を用いたが、廻縁部材３はなくても取付部などの強度を確保すれば（板厚をわずかに厚くするなどで、安価に強度アップで実施可能）、連結補助具４のみでフレーム部材１を支持することは可能である。
【００４７】
また、実施の形態（１）のガイド片４２をフレーム部材１の長さ方向と直交する方向の動きを規制するようにし、ガイド片４３を垂直方向の動きの規制をする（上部と下部を入れ替える）ようにすることも容易にでき、同じ作用、効果を得ることができる。
【００４８】
なお、フレーム部材１は現在米国の規格で形状が１種類に統一されているが、規格が変更された場合は、変更されたフレーム部材１の中空部１４、１５の形状に対応して、連結補助具４のガイド片４２、４３の形状等を適宜変更することは可能である。
【００４９】
【発明の効果】
以上のように、本発明に係る天井構造は、天井から吊部材で吊持されるフレーム部材に設置される天井パネルと、壁面に固定されるとともにフレーム部材にスライド可能に連結されるガイド部を備えた連結補助具を備え、フレ−ム部材が端部に開口された長さ方向に延びる上下複数の中空部を有し、連結補助具が水平に突出した上下複数のガイド部を有することで、前記ガイド部が前記中空部の夫々にスライド可能に嵌合されたので、地震などの振動で天井パネルを設置するフレーム部材が壁面から大きく離れても、上下複数箇所から天井の落下を防止することができる効果がある。
【００５０】
さらに、天井の落下防止のために、天井からの吊部材だけに頼らなくてよいので、吊部材を強度の低くすることができ、全体としても安価な天井構造が得られるという効果がある。
【図面の簡単な説明】
【図１】本発明に係る天井構造の実施の形態（１）を示す側面断面図である。
【図２】図１のＸ−Ｘ線拡大断面図である。
【図３】図１の要部の分解状態の斜視図である。
【図４】図１の要部の製造例を示す製造材料の展開図である。
【図５】本発明に係る天井構造の実施の形態（２）を示す側面断面図である。
【図６】本発明に係る天井構造の実施の形態（３）を示す側面断面図である。
【図７】図６のＹ−Ｙ線拡大断面図である。
【図８】図６の要部の分解状態の斜視図である。
【図９】図６の要部の製造例を示す製造材料の展開図である。
【図１０】一般的な吊タイプの天井構造を示す斜視図である。
【符号の説明】
１          フレーム部材
１１        吊部材取付部
１２        天井パネル取付部
１４、１５  中空部
２          吊部材
３          廻縁部材
４          連結補助具
４１        基板
４２、４３  ガイド片
４４        立ち上がり部
４６        当接片
４７        補強
４８        当接片
１００      天井構造
Ｃ          天井（天井スラブ）
Ｐ          天井パネル
Ｗ          壁
【図１】
0003568909.tif 000002
【図２】
0003568909.tif 000003
【図３】
0003568909.tif 000004
【図４】
0003568909.tif 000005
【図５】
0003568909.tif 000006
【図６】
0003568909.tif 000007
【図７】
0003568909.tif 000008
【図８】
0003568909.tif 000009
【図９】
0003568909.tif 000010
【図１０】
0003568909.tif 000011